(57)【要約】【課題】漏水箇所を容易に判別し短時間に修理することができる食器洗い機を提供する。【解決手段】食器類１１を洗浄する洗浄槽８を保持するレール（図示せず）と底面に傾斜面１０ｂを形成し、その最底部１０ｃに漏水を検知する漏水センサー１２を備えた外枠１０と、漏水センサー１２の動作信号を検知する制御部２２と、洗浄槽８の下方に取り外し可能に設けられポンプ１４などの部品を下方より覆うカバー２３を備え、カバー２３の上面２３ａを、突出した前壁２３ｂ、後壁（図示せず）、側壁（図示せず）および内壁２３ｅで格子状に分割し、各格子２３ｆの上面２３ａより高く且つ少なくとも内壁２３ｅより低い位置に孔２３ｇを形成したもので、漏水時に漏水は、格子２３ｆ内で孔２３ｇの高さまで一旦溜まった後、孔２３ｇより外枠１０に形成された傾斜面１０ｂ上に落下する。又、カバー２３を取り外すと、各格子２３ｆの漏水状態より容易に漏水箇所が把握できる。【選択図】図１
2006334124.tif 000002
【特許請求の範囲】
【請求項１】
食器を洗浄する洗浄槽と、前記洗浄槽を前後移動自在に保持するレールと、前記レールを固着するとともに底面に傾斜面を形成し、前記傾斜面の最底部に漏水を検知する漏水センサーを備えた外枠と、前記漏水センサーの動作信号を検知する制御部と、前記洗浄槽の下方に取り外し可能に設けられポンプなどの部品を下方より覆うカバーを備え、当該カバーの上面を、突出した前壁、後壁、側壁および内壁で格子状に分割し、各格子に上面より高く且つ少なくとも前記内壁より低い位置に孔を形成した食器洗い機。
【請求項２】
前壁、後壁および側壁を内壁より高く形成した請求項１に記載の食器洗い機。
【請求項３】
分割された各格子に記号を付け、前記各格子の位置と対応する洗浄槽の下面に前記記号と同一の記号を付けた請求項１又は２に記載の食器洗い機。
【請求項４】
各格子から側壁まで格子壁を延設して溝を形成し、前記溝の終端の前記側壁に窓を形成し、前記窓の近傍に前記各溝ごとに、前記各格子に対応する記号を付けた請求項１〜３のいずれか１項に記載の食器洗い機。
【請求項５】
側壁近傍で溝を遮断壁により階段状に曲げて終端を形成し、前記終端の前記側壁で内壁より高い位置に窓を設け、前記窓と対向する前記遮断壁を前記窓の上端より高くした請求項４に記載の食器洗い機。
【発明の詳細な説明】
【技術分野】
【０００１】
本発明は、食器洗い機に関するもので、特に流し台などの収納スペースに設置されるビルトイン型の食器洗い機の漏水対策に関するものである。
【背景技術】
【０００２】
流し台内に前面が開口した収納室を設け、この収納室内に設置されるビルトイン型の食器洗い機がある。このようなビルトイン型の食器洗い機に何らかの原因で漏水が発生した場合、流し台内部が水浸しになったり、流し台内部を腐らせるという問題があった。このような事態を避けるために、従来、食器洗い機の底面部に孔を形成し、収納室内に漏水受け材を設置し、漏水受け材から漏水を床面に流し出すようにしていた（例えば、特許文献１参照）。
【０００３】
従来のこの種の食器洗い機について、図１６および図１７を用いて説明する。図１６は、上記特許文献１に記載された従来の食器洗い機の断面図で、図１７は、同食器洗い機の要部拡大図である。
【０００４】
図１６、１７において、食器洗い機１は、底面部２に一段低い凹部２ａを形成し、その前端部に下方へ連通する孔２ｂが形成され、流し台３内では、孔２ｂの下方に漏水受け材４が設置され、漏水受け材４には、傾斜面４ａと下垂部４ｂが形成されている。
【０００５】
そして、食器洗い機１内に漏水６が発生した場合、底面部２に形成した凹部２ａで漏水６を受け、凹部２ａの前端に形成された孔２ｂを通じて機外に速やかに流出させ、孔２ｂから流出した漏水６は漏水受け材４に形成された傾斜面４ａで受け止められ、流し台３の正面側に向かって速やかに流れ落ち、下垂部４ｂを伝わって確実に床面５に導かれて、使用者が容易に食器洗い機１の漏水６を知るようにしたものである。
【特許文献１】特開平１１−５６７３８号公報
【発明の開示】
【発明が解決しようとする課題】
【０００６】
しかしながら、前記従来例の食器洗い機の構成では、食器洗い機１に漏水６が発生した場合、漏水６が床面５に流れ落ちて濡らすことになり、特に大きな漏水時には床面５全体を濡らしてしまい、拭き取りが遅れた場合には、階下まで水が漏れたり、床材を濡らして腐らせるといった課題を有していた。
【０００７】
また、漏水対策を行おうとした場合、漏水が漏水受け材４に集中していることから漏水箇所の特定が極めて難しく、小規模な漏水が複数箇所存在するような場合には、その全てを把握して対策するのに多くの時間を要し、場合によっては全てを対策できずに漏水を再発させるといった課題を有していた。
【０００８】
本発明は、前記従来の課題を解決するもので、食器洗い機に漏水が発生しても、床面を濡らすことなく、使用者に漏水を知らせ、漏水箇所を素早く把握することができ、全ての漏水箇所を確実にしかも短時間に修理することができる食器洗い機を提供することを目的とする。
【課題を解決するための手段】
【０００９】
上記従来の課題を解決するために、本発明の食器洗い機は、食器を洗浄する洗浄槽と、前記洗浄槽を前後移動自在に保持するレールと、前記レールを固着するとともに底面に傾斜面を形成し、前記傾斜面の最底部に漏水を検知する漏水センサーを備えた外枠と、前記漏水センサーの動作信号を検知する制御部と、前記洗浄槽の下方に取り外し可能に設けられポンプなどの部品を下方より覆うカバーを備え、当該カバーの上面を、突出した前壁、後壁、側壁および内壁で格子状に分割し、各格子に上面より高く且つ少なくとも前記内壁より低い位置に孔を形成したもので、洗浄槽や部品から漏水が発生しても、漏水はカバー上面に形成された格子内の孔の高さまで溜まった後、孔を通じて外枠に形成された傾斜面上に落下していき、続いて傾斜面を流れながら最底部に達し、漏水センサーを動作させ、漏水センサーからの信号を制御部が検知することにより、音や表示で使用者に食器洗い機の漏水を知らせることができ、床面を濡らしたり、拭き取りが遅れて階下への漏水といった大きな被害を発生させることがない。また、カバーを引き出して取り外すと、カバー上面に形成された各格子の漏水状態を容易に調べることができ、容易に漏水箇所を把握することができるだけでなく、わずかの漏水でも確実に把握することができることから、修理を迅速に且つ確実に実施することができる。
【発明の効果】
【００１０】
本発明の食器洗い機は、洗浄槽やポンプなどの部品から漏水が発生しても、漏水はカバー上面に形成された格子内の孔の高さまで溜まった後、孔を通じて外枠に形成された傾斜面上に落下していき、さらに傾斜面を流れながら最底部に達し、漏水センサーを動作させ、それを検知した制御部で、音や表示などにより使用者に食器洗い機の漏水を知らせることにより、床面を濡らしたり、拭き取りが遅れて階下への漏水といった大きな被害の恐れを解消するこができる。
【００１１】
また、洗浄槽を引き出してカバー上面に形成された各格子の漏水状態を調べることにより、容易に漏水箇所を把握することができるだけでなく、わずかの漏水でも把握することができることから、修理を迅速に且つ確実に実施することができる。
【発明を実施するための最良の形態】
【００１２】
第１の発明は、食器を洗浄する洗浄槽と、前記洗浄槽を前後移動自在に保持するレールと、前記レールを固着するとともに底面に傾斜面を形成し、前記傾斜面の最底部に漏水を検知する漏水センサーを備えた外枠と、前記漏水センサーの動作信号を検知する制御部と、前記洗浄槽の下方に取り外し可能に設けられポンプなどの部品を下方より覆うカバーを備え、当該カバーの上面を、突出した前壁、後壁、側壁および内壁で格子状に分割し、各格子に上面より高く且つ少なくとも前記内壁より低い位置に孔を形成したもので、洗浄槽や部品から漏水が発生しても、漏水はカバー上面に形成された格子内の孔の高さまで溜まった後、孔を通じて外枠に形成された傾斜面上に落下していき、続いて傾斜面を流れながら最底部に達し、漏水センサーを動作させ、漏水センサーからの信号を制御部が検知することにより、音や表示で使用者に食器洗い機の漏水を知らせることができ、床面を濡らしたり、拭き取りが遅れて階下への漏水といった大きな被害を発生させることがない。また、カバーを引き出して取り外すと、カバー上面に形成された各格子の漏水状態を容易に調べることができ、容易に漏水箇所を把握することができるだけでなく、わずかの漏水でも確実に把握することができることから、修理を迅速に且つ確実に実施することができる。
【００１３】
第２の発明は、特に、第１の発明の前壁、後壁および側壁を内壁より高く形成したもので、食器洗い機から漏水が発生して、カバー上面に形成した格子内に溜まってきても、前壁、後壁、側壁を内壁より高くしていることにより、漏水が多く、一つの格子から溢れても、内壁を越えてせいぜい隣の格子に流れこむだけで、カバー前面や後壁、側壁をのり越えて漏水が食器洗い機から流れだし、床面を濡らすといった恐れがない。
【００１４】
第３の発明は、特に、第１又は第２の発明の分割された各格子に記号を付け、前記各格子の位置と対応する洗浄槽の下面に前記記号と同一の記号を付けたもので、洗浄槽などから漏水が発生した場合、漏水の一部はカバー上面に構成された格子内に溜まることになるが、形成された各格子と同じ位置関係にある洗浄槽下面にも同じ記号を付けていることから漏水の溜まっている格子の記号と同じ記号の洗浄槽あるいはその記号位置の洗浄槽に取り付けられている部品が漏水の原因であることが容易に知ることができ、修理時間の短縮がはかれるだけでなく、修理を確実に実施することができる。
【００１５】
第４の発明は、特に、第１〜３のいずれか一つの発明の各格子から側壁まで格子壁を延設して溝を形成し、前記溝の終端の前記側壁に窓を形成し、前記窓の近傍に前記各溝ごとに、前記各格子に対応する記号を付けたもので、食器洗い機に漏水が発生した場合、漏水はまずカバー上面に形成された格子内に溜まることになるが、各格子から格子壁によって溝が設けられていることから、漏水は同時に溝内を流れて側壁まで達する。側壁に窓が形成されていることから、漏水位置を確認するのに従来例のように製品を分解することもなく洗浄槽を引き出してカバー側壁に形成された窓から漏水の溜まっている溝を確認し、側壁の窓近傍に付けられている記号を見れば、わずかな漏水でも漏水位置や部品を容易に知ることができ、修理時間の短縮がはかれるとともに、確実に漏水位置や部品を修理することができる。
【００１６】
第５の発明は、特に、第４の発明の側壁近傍で溝を遮断壁により階段状に曲げて終端を形成し、前記終端の前記側壁で内壁より高い位置に窓を設け、前記窓と対向する前記遮断壁を前記窓の上端より高くしたもので、洗浄槽を引き出しても遮断壁により窓からポンプなどの部品が見えたり、触ることができないことから、食器洗い機の外観品位を損なったり、安全性を低下させることはなく、さらに漏水位置確認が側壁に形成された窓から容易に行うことができることから、修理時間の短縮がはかれると共に、確実な修理を行うことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における食器洗い機の断面図で、図２は、同食器洗い機の背面図で、図３は、同食器洗い機のカバーの平面図で、図４は、図３のＡ−Ａ断面図で、図５は、同食器洗い機の設置状態を示す断面図である。なお、上記従来例と同一部分については同一符号を付けてその説明を省略する。
【００１９】
図１〜図５において、食器洗い機７の洗浄槽８は、レール９によって前後移動可能なように保持されており、外枠１０から引き出すことができる。洗浄槽８の上方は開口しており洗浄槽８を外枠１０より引き出すことによって、食器類１１を洗浄槽８内に収納することができる。外枠１０の底面１０ａには傾斜面１０ｂが形成されておりその最底部１０ｃには、漏水を検知する漏水センサー１２が取り付けられている。
【００２０】
また、洗浄槽８内には食器類１１に洗浄水を吹き付ける洗浄ノズル１３が回転自在に取り付けられている。洗浄槽８の下面８ａあるいは背面８ｂには、洗浄ノズル１３に洗浄水を供給するポンプ１４や吐出ホース１５、水道から給水するための給水ホース１６や給水弁１７、洗浄水を加熱するヒーター１８、さらに洗浄槽８内の洗浄水を排水する排水ホース１９やトラップ２０など多くの部品が取り付けられている。
【００２１】
また、洗浄槽８の前面８ｃには、蒸気を排出する排気ガイド２１や、ポンプ１４等の電気部品を制御する制御部２２が設けられている。さらに、洗浄槽８の下方には、前記ポンプ１４や吐出ホース１５を下方から覆うようにカバー２３が設けられている。カバー２３の上面２３ａは、上方に突出する前壁２３ｂ、後壁２３ｃ、側壁２３ｄや内壁２３ｅによって格子２３ｆに分割され、各格子２３ｆには上面２３ａより突出し、内壁２３ｅなどの各壁より低く形成された孔２３ｇが設けられ、また洗浄槽８を外枠１０から引き出すことにより取り外すことが可能なようにカバー２３はネジ２４で洗浄槽８に取り付けられている。
【００２２】
以上のように構成された食器洗い機７について、以下その動作、作用について説明する。
【００２３】
洗浄槽８を引き出して食器類１１を入れた後、洗浄槽８を外枠１０内に押し込み制御部２２で洗浄時間などを設定して運転を開始すれば、給水弁１７が開き給水ホース１６を通じて水道水が供給され、ポンプ１４が起動して吐出ホース１５を経由してノズル１３より勢いよく洗浄水が噴射され、食器類１１を洗浄することができる。洗浄中には洗浄槽８内やポンプ１４などの部品内に多くの洗浄水が溜められることになる。食器類１１の洗浄が終わるとポンプ１４が逆回転して洗浄槽８内の洗浄水がトラップ２０を経由して排水ホース１９より排水されていく。多くの場合、洗浄後はヒーター１８によって食器類１１を乾燥して一連の動作を終了する。
【００２４】
このように食器洗い機７の動作中には、洗浄槽８やポンプ１４などの部品内に多くの洗浄水が溜まっており、使用中の損傷や経年変化で水漏れが発生する恐れがある。
【００２５】
もし、部品などから水漏れが発生した場合、漏水６は、カバー２３上に落下し、孔２３ｇの高さまで漏水部品の下に位置している格子２３ｆ内に溜められることになる。孔２３ｇより溢れた漏水６は、孔２３ｇより外枠１０の底面１０ａに形成された傾斜面１０ｂ上に落下し、さらに傾斜面１０ｂを伝わって最底部１０ｃに達して漏水センサー１２を動作させる。漏水サンサー１２からの信号を制御部２２が検知することにより、制御部２２で音や表示手段（図示せず）により使用者に漏水の発生を知らせることができる。
【００２６】
以上のように、本実施の形態によれば、食器洗い機７に水漏れが発生しても、漏水センサー１２が動作し、漏水センサー１２からの信号を制御部２２で検知して、音や表示手段により漏水を使用者に知らせることができるので、従来例にみられたように床面を濡らすこともなく対処することができるだけでなく、床面を拭くのが遅れて階下まで漏水するといった大きな被害の恐れを解消することができる。
【００２７】
また、図５に示したように、洗浄槽８を引き出してネジ２４を外すと、カバー２３を容易に洗浄槽８から外すことができ、カバー上面２３ａに形成された各格子２３ｆの漏水状態を調べることにより容易に漏水箇所を把握することができるだけでなく、わずかの漏水でも確実に把握することができることから、修理を迅速に且つ確実に実施することができる。
【００２８】
（実施の形態２）
図６は、本発明の第２の実施の形態における食器洗い機を示す断面図で、図７は、同食器洗い機のカバーの平面図である。なお、上記実施の形態における食器洗い機と同一部分については、同一符号を付してその説明を省略する。
【００２９】
本実施の形態は、図６および図７に示すように、洗浄槽８の下方でポンプ１４などの部品を覆うカバー２５を取り付け、カバー２５の上面２５ａを、突出した前壁２５ｂ、後壁２５ｃ、側壁２５ｄおよび内壁２５ｅで複数の格子２５ｆに分割し、各格子２５ｆには上面２５ａより高く且つ各格子２５ｆを形成する内壁２５ｅなどより低い位置に孔２５ｇを形成し、前壁２５ｂ、後壁２５ｃ、側壁２５ｄを内壁２５ｅより高く形成するもので、他の構成は、上記第１の実施の形態１と同じである。
【００３０】
以上のように構成された食器洗い機２６について、その動作、作用を説明する。
【００３１】
もし、食器洗い機２６から多くの漏水６が発生してカバー上面２５ａに落下して格子２５ｆ内に溜まってきても、前壁２５ｂ、後壁２５ｃや側壁２５ｄを、内壁２５ｅより高く形成していることから、漏水６は孔２５ｇより流れ落ちるとともに、カバー２５内の内壁２５ｅを越えてせいぜい近接する格子２５ｆに流れ込むだけである。
【００３２】
以上のように、本実施の形態によれば、食器洗い機２６を構成する部品から一時に多くの漏水６が発生しても、カバー２５の前壁２５ｂ、後壁２５ｃおよび側壁２５ｄを内壁２５ｅより高く形成していることにより、漏水６が食器洗い機２６から流れ出して床面５を濡らすことがない。
【００３３】
（実施の形態３）
図８は、本発明の第３の実施の形態における食器洗い機を示した断面図で、図９は同食器洗い機のカバーを示す平面図で、図１０は同食器洗い機の洗浄槽下面を示す平面図である。なお、上記実施の形態と同一部分については、同一符号を付してその説明を省略する。
【００３４】
本実施の形態は、図８〜図１０に示すように、カバー２７の上面２７ａを、突出した前壁２７ｂ、後壁２７ｃ、側壁２７ｄおよび内壁２７ｅで複数の格子２７ｆに分割し、各格子２７ｆには上面２７ａより高く且つ各格子２７ｆを形成する内壁２７ｅなどより低い位置に孔２７ｇを形成し、分割された各格子２７ｆに、例えば「Ａ」〜「Ｐ」といった記号２８をつけ、カバー２７の各格子２７ｆの位置と対応する洗浄槽下面２９ａにも同じ「Ａ」〜「Ｐ」の記号３０を付けるようにしたものである。
【００３５】
以上のように構成された食器洗い機３１について、その動作、作用を説明する。
【００３６】
もし、食器洗い機３１の洗浄槽２９などから漏水６が発生した場合、漏水６はカバー上面２７ａに構成された格子２７ｆ内に一旦溜まった後、各格子２７ｆ内に形成された孔２７ｇから流れ落ちることになる。この時、漏水６が溜まっている格子２７ｆにつけられている記号２８と同じ記号３０を洗浄槽下面２９ａで見つけることにより、漏水６の位置や漏水の原因となっている部品を容易に特定することができ、漏水対策を短時間にしかも確実に実施することができる。
【００３７】
（実施の形態４）
図１１は、本発明の第４の実施の形態における食器洗い機を示す断面図で、図１２は、同食器洗い機のカバーの平面図で、図１３は、同カバーの側面図である。なお、上記実施の形態と同一部分については、同一符号を付してその説明を省略する。
【００３８】
本実施の形態は、図１１〜図１３に示すように、カバー３２の上面３２ａを前壁３２ｂ、後壁３２ｃ、側壁３２ｄおよび内壁３２ｅで複数の格子３２ｆに分割し、各格子３２ｆから横方向に格子壁３２ｈを側壁３２ｄまで延設して溝３３を形成し、各格子３２ｆには上面３２ａより高く且つ各格子３２ｆを形成する内壁３２ｅなどより低い位置に孔３２ｇを形成し、溝３３の終端３３ａの側壁には窓３４を形成し、窓３４の近傍には各格子３２ｆに付けた記号３５と同じ記号３７を、各格子３２ｆに対応する溝３３ごとに付けたものである。
【００３９】
以上のように構成された食器洗い機３６について、その動作、作用を説明する。
【００４０】
もし、食器洗い機に漏水６が発生した場合、漏水６はまずカバー上面３２ａに形成された格子３２ｆ内に溜まることになるが、各格子３２ｆから格子壁３２ｈによって溝３３が設けられていることから、漏水６は同時に溝３３内を流れて側壁３２ｄ近傍の終端３３ａまで達することになり、この漏水６の箇所の状況は側壁３２ｄに形成された窓３４から確認することができる。
【００４１】
以上のように、本実施の形態によれば、食器洗い機３６に漏水６が発生しても、カバー３２の側壁３２ｄに設けられた窓３４から、漏水箇所の状況を知ることができ、窓３４近傍に形成された記号３７と同じ記号３５の格子を探すことにより、漏水６の位置や部品を容易に知ることができ、漏水修理を短時間に行うことができるだけでなく、より確実な修理を行うことができる。
【００４２】
（実施の形態５）
図１４は、本発明の第５の実施の形態における食器洗い機のカバーの平面図で、図１５は、図１４のＢ−Ｂ断面図である。なお、上記実施の形態と同一部分については、同一符号を付してその説明を省略する。
【００４３】
本実施の形態は、図１４および図１５に示すように、カバー３８の側壁３８ｄ近傍で各格子３８ｆから伸びた溝３９を遮断壁４０によって階段状に曲げて終端３９ａを形成し、終端３９ａの側壁３８ｄで内壁３８ｅより高い位置に窓４１を設け、窓４１の対向する遮断壁４０を窓上端４１ａより高くしたものである。
【００４４】
以上のように構成された食器洗い機について、その動作、作用を説明する。
【００４５】
窓４１の対向位置には窓上端４１ａより高く遮断壁４０が設けられていることから、カバー３８内部に配置されているポンプ１４や吐出ホース１５などの部品が見えたりすることはない。もし、食器洗い機内で漏水が発生した場合、漏水６は、カバー３８の上面３８ａに形成された格子３８ｆ内に落下し、さらに溝３９を伝わって終端３９ａに達することになり、側壁３８ｄに形成された窓４１から溝３９の終端３９ａより高い位置に形成していることから、窓４１から漏水することはない。
【００４６】
以上のように、本実施の形態によれば、遮断壁４０によってカバー３８内部が隠されることから食器洗い機の外観品位を損なったり、安全性を低下させることはなく、また、側壁３８ｄに形成された窓４１が内壁３８ｅより高い位置となっていることから、窓４１から漏水して床面を濡らす恐れもない。
【産業上の利用可能性】
【００４７】
以上のように、本発明に係る食器洗い機は、内部で漏水が発生しても、それを検知した制御部で、使用者に漏水を知らせることができ、床面を濡らしたり、階下への漏水といった大きな被害を起こすことがなく、また、カバーを外して格子の漏水状態を確認することにより、容易に漏水箇所を把握することができ、修理を迅速に且つ確実に実施することができるもので、食器洗い機に限らず、洗濯機、給湯機など水や液体を使用する各種機器に適用できる。
【図面の簡単な説明】
【００４８】
【図１】本発明の第１の実施の形態における食器洗い機の断面図
【図２】同食器洗い機の背面図
【図３】同食器洗い機のカバーの平面図
【図４】図３のＡ−Ａ断面図
【図５】同食器洗い機の設置状態を示す断面図
【図６】本発明の第２の実施の形態における食器洗い機を示す断面図
【図７】同食器洗い機のカバーの平面図
【図８】本発明の第３の実施の形態における食器洗い機を示す断面図
【図９】同食器洗い機のカバーの平面図
【図１０】同食器洗い機の洗浄槽下面の平面図
【図１１】本発明の第４の実施の形態における食器洗い機を示す断面図
【図１２】同食器洗い機のカバーの平面図
【図１３】同カバーの側面図
【図１４】本発明の第５の実施の形態における食器洗い機のカバーの平面図
【図１５】図１４のＢ−Ｂ断面図
【図１６】従来の食器洗い機を示す断面図
【図１７】同食器洗い機の要部拡大図
【符号の説明】
【００４９】
７      食器洗い機
８、２９  洗浄槽
８ａ    下面
８ｂ    背面
８ｃ    前面
９      レール
１０    外枠
１０ａ  底面
１０ｂ  傾斜面
１０ｃ  最底部
１１    食器類
１２    漏水センサー
１４    ポンプ
２２    制御部
２３、２５、２７、３２、３８  カバー
２３ａ、２５ａ  上面
２３ｂ、２５ｂ  前壁
２３ｃ、２５ｃ  後壁
２３ｄ、２５ｄ  側壁
２３ｅ、２５ｅ、３８ｅ  内壁
２３ｆ、２５ｆ、２７ｆ、３８ｆ  格子
２３ｇ、２５ｇ  孔
２４    ネジ
２８、３０、３５、３７    記号
２９ａ  下面
３２ｈ  格子壁
３３、３９  溝
３３ａ、３９ａ  終端
３４、４１  窓
４０    遮断壁
【図１】
2006334124.tif 000003
【図２】
2006334124.tif 000004
【図３】
2006334124.tif 000005
【図４】
2006334124.tif 000006
【図５】
2006334124.tif 000007
【図６】
2006334124.tif 000008
【図７】
2006334124.tif 000009
【図８】
2006334124.tif 000010
【図９】
2006334124.tif 000011
【図１０】
2006334124.tif 000012
【図１１】
2006334124.tif 000013
【図１２】
2006334124.tif 000014
【図１３】
2006334124.tif 000015
【図１４】
2006334124.tif 000016
【図１５】
2006334124.tif 000017
【図１６】
2006334124.tif 000018
【図１７】
2006334124.tif 000019